(57)【要約】【課題】  駆動効率が高く、動作不安定とならない高い耐久性を有した、振動アクチュエータを用いたレンズ鏡胴を得る。【解決手段】  レンズ群の少なくとも１つを移動させるためのアクチュエータと、筐体と、を有し、アクチュエータは、複数の圧電素子を互いに所定角度で交差するよう配置され高周波信号に基づいて振動する振動体と、レール部材と、レール部材を挟んで振動体に対向する位置に配置され回転可能となされた支持部材とで構成され、レール部材を筐体側に配置し、振動体と支持部材を移動するレンズ群側に配置したレンズ鏡胴とする。【選択図】        図５
2006330054.tif 000002
【特許請求の範囲】
【請求項１】
被写体光を結像させるためのレンズ群と、前記レンズ群の少なくとも１つを移動させるためのアクチュエータと、筐体と、を有するレンズ鏡胴において、
前記アクチュエータは、複数の圧電素子を互いに所定角度で交差するよう配置され高周波信号に基づいて振動する振動体と、この振動体に相対して配置されるレール部材と、前記レール部材を挟んで前記振動体に対向する位置に配置された回転可能な支持部材とを有する振動アクチュエータであり、
前記レール部材を前記筐体側に配置し、前記振動体と前記支持部材を移動するレンズ群側に配置したことを特徴とするレンズ鏡胴。
【請求項２】
前記振動体と前記支持部材が配置されたレンズ群は、移動方向に沿って複数のガイド部材を有し、前記ガイド部材の一つを前記レール部材としたことを特徴とする請求項１に記載のレンズ鏡胴。
【請求項３】
前記レンズ鏡胴は、移動するレンズ群の位置を検出する位置検出センサを有し、前記位置検出センサのセンサ部を移動するレンズ群側に配置し、前記筐体側にセンサースケールを配置したことを特徴とする請求項１又は２に記載のレンズ鏡胴。
【請求項４】
前記レンズ群は複数のレンズ群を移動させるズーム光学系であり、移動する複数のレンズ群の位置を検出する位置検出センサのセンサースケールを共通に用いたことを特徴とする請求項１〜３のいずれか１項に記載のレンズ鏡胴。
【請求項５】
前記振動アクチュエータを前記筐体内に配置したことを特徴とする請求項１〜４のいずれか１項に記載のレンズ鏡胴。
【発明の詳細な説明】
【技術分野】
【０００１】
本発明は、撮像装置に用いられ、鏡胴内の変倍レンズ群やフォーカシングレンズ群を、振動体の振動を利用して移動させるよう構成した、レンズ鏡胴に関するものである。
【背景技術】
【０００２】
従来より、圧電素子等に交流電圧を印加することにより振動体を振動させ、この振動体との接触及び離反を繰り返すことにより被駆動体を摩擦力で駆動する駆動装置が知られている。このような駆動装置を用い、レンズ群を移動させるレンズ鏡胴も知られている。
【０００３】
この圧電素子を用いてレンズ群を光軸方向に移動させるものとして、光軸方向への駆動振動が形成される振動子を弾性部材で光軸方向に延びる固定子であるガイド軸に押圧し、この振動子をレンズ保持部材に設けたレンズ駆動装置が開示されている（例えば、特許文献１参照）。
【特許文献１】特開平８−１７９１８４号公報
【発明の開示】
【発明が解決しようとする課題】
【０００４】
しかしながら、上記特許文献１に記載のレンズ駆動装置は、レンズ保持部材に振動子を設け、レンズ保持部材を光軸方向に案内するガイド軸に振動子を弾性部材で押圧する構成である。このため弾性部材による押圧力の反力により、レンズ保持部材の穴部はガイド軸に対し片寄せされる。このため、レンズ保持部材の穴部と嵌合するガイド軸の間で摩擦力が増大し、レンズ保持部材の穴部の偏摩耗を生じさせ、動作不安定となったり、穴部の偏摩耗により、レンズ群の位置が光軸直交方向にシフトしてしまい、レンズ性能に変化を生じさせる問題がある。
【０００５】
また、振動子によるレンズ群の移動も摩擦力を利用して行うものであるため、このレンズ保持部材の穴部と嵌合するガイド軸の間に発生する摩擦力は、振動子による駆動力を減少させる方向に働き、振動子による駆動効率を低下させる問題があると共に、穴部とガイド軸の間の摩擦力の変動は、動作不安定の要因となるものである。
【０００６】
この問題は、固定子とガイド軸を共通とせず、別体で構成しても、弾性部材の反力により、同様に生じるものである。
【０００７】
本発明は、上記問題に鑑み、駆動効率が高く、動作不安定とならない高い耐久性を有した、振動アクチュエータを用いたレンズ鏡胴を得ることを目的とするものである。
【課題を解決するための手段】
【０００８】
上記の課題は、以下の構成で解決される。
【０００９】
１）  被写体光を結像させるためのレンズ群と、前記レンズ群の少なくとも１つを移動させるためのアクチュエータと、筐体と、を有するレンズ鏡胴において、前記アクチュエータは、複数の圧電素子を互いに所定角度で交差するよう配置され高周波信号に基づいて振動する振動体と、この振動体に相対して配置されるレール部材と、前記レール部材を挟んで前記振動体に対向する位置に配置された回転可能な支持部材とを有する振動アクチュエータであり、前記レール部材を前記筐体側に配置し、前記振動体と前記支持部材を移動するレンズ群側に配置したことを特徴とするレンズ鏡胴。
【００１０】
２）  前記振動体と前記支持部材が配置されたレンズ群は、移動方向に沿って複数のガイド部材を有し、前記ガイド部材の一つを前記レール部材とした１）のレンズ鏡胴。
【００１１】
３）  前記レンズ鏡胴は、移動するレンズ群の位置を検出する位置検出センサを有し、前記位置検出センサのセンサ部を移動するレンズ群側に配置し、前記筐体側にセンサースケールを配置した１）又は２）のレンズ鏡胴。
【００１２】
４）  前記レンズ群は複数のレンズ群を移動させるズーム光学系であり、移動する複数のレンズ群の位置を検出する位置検出センサのセンサースケールを共通に用いた１）〜３）のいずれかのレンズ鏡胴。
【００１３】
５）  前記振動アクチュエータを前記筐体内に配置した１）〜４）のいずれかのレンズ鏡胴。
【発明の効果】
【００１４】
本発明によれば、振動体の駆動時の被駆動部材への押圧力の反力が、鏡枠及びガイド軸へかかることを防ぐことが可能となる。これにより、鏡枠とガイド軸の間に発生する不要な摩擦力の変動を解消でき、駆動効率が高く、動作不安定とならない高い耐久性を有した、レンズ鏡胴を得ることが可能となる。
【発明を実施するための最良の形態】
【００１５】
以下、実施の形態により本発明を詳しく説明するが、本発明はこれに限定されるものではない。
【００１６】
まず、本実施の形態に係るレンズ鏡胴に用いられる振動アクチュエータについて、説明する。
【００１７】
図１及び図２は、本実施の形態に係るレンズ鏡胴に用いられる振動アクチュエータ１（駆動装置）を示す図である。図１は、本実施の形態に係るレンズ鏡胴に用いられる振動アクチュエータ１の正面図である。図２は、本実施の形態に係るレンズ鏡胴に用いられる振動アクチュエータ１の側面図である。なお、各図面においては、便宜上、共通の直交ＸＹＺ座標系を用いて方向を示すものとする。
【００１８】
図１及び図２に示すように、振動アクチュエータ１は、駆動源である振動体１０と、振動体１０の振動を受け、振動体１０から駆動力を付与されるレール部材３１と、弾性部材で構成された加圧部材４０と振動体１０からレール部材３１へ付与される力（荷重）を支持する支持部材（荷重支持部材）５０と、台板６０とを備えている。振動体１０、レール部材３１、支持部材５０は、図１のＺ方向に、この順序で配置されている。
【００１９】
振動体１０は、２つの圧電素子１１、１２とチップ部材１３とベース部材１４とで構成されており、振動体１０は高周波電圧（高周波信号）の印加に応じて振動する。
【００２０】
２つの圧電素子１１、１２は、図１の如く略直角に交差するよう配置され、交差側端部はチップ部材１３に接合されている。圧電素子１１、１２の他端は、ベース部材１４に接合されている。チップ部材１３は、安定して高い摩擦係数を有していると共に、高い耐摩耗性を有した材料（例えば、超硬合金等の金属材料）で形成されていることが好ましい。ベース部材１４は、製造が容易で高い強度を有する材料（例えば、ステンレス等の金属材料）で形成されていることが好ましい。また、圧電素子１１、１２は、チップ部材１３及びベース部材１４と接着剤により固着されている。この接着剤としては、接着強度に優れるエポキシ系樹脂の接着剤を用いることが好ましい。
【００２１】
圧電素子１１、１２は、積層型圧電素子であり、圧電特性を有する複数のセラミック薄板と電極が交互に積層した構造となっている。圧電素子１１、１２は、印加電圧に応じて積層方向に伸縮する変位素子であり、具体的には、所定の符号の電圧を印加すると伸び、逆符号の電圧を印加すると縮むことになる。このため交流電圧を印加すれば、交流電圧の周期に応じて、伸縮を繰り返すことになる。故に、圧電素子１１、１２に位相差を有する交流電圧を印加することにより、振動体１０を振動させることができるようになっている。
【００２２】
図３は、振動体１０の駆動動作を示した図である。同図に示すように、振動体１０の圧電素子１１、１２を位相差を有する交流電圧で駆動することにより、振動体１０のチップ部材１３を楕円運動させることができる。
【００２３】
同図（ａ）は、位相差が６０°の場合のチップ部材１３の運動軌跡を示し、同図（ｂ）は、位相差が９０°の場合のチップ部材１３の運動軌跡を示し、同図（ｃ）は、位相差が１２０°の場合のチップ部材１３の運動軌跡を示している。同図に示すように、位相差を９０°に設定するとチップ部材１３は円運動となり、位相差を変えることにより、チップ部材１３の運動軌跡を所望の形状に設定することができる。
【００２４】
振動体１０は、このチップ部材１３の運動軌跡を用いて、レール部材３１を移動させることができ、また、レール部材３１が固定されている場合には相対的に振動体１０及び支持部材５０を保持する台板６０を移動させることができるものである。
【００２５】
図１及び図２を参照し、レール部材３１は、振動体１０のチップ部材１３に接触し、振動体１０の駆動力は直接的に伝達される。具体的には、レール部材３１は、振動体１０の振動に応じ、チップ部材１３との接触（衝突）及びチップ部材１３の離反を繰り返しつつ、チップ部材１３との間に生じる摩擦力によって、レール部材３１もしくは振動体１０及び支持部材５０を保持する台板６０が相対的に移動する。換言すると、振動体１０のチップ部材１３とレール部材３１の表面との間での摩擦接触を伴う微小移動動作を繰り返すことにより、レール部材３１もしくは振動体１０及び支持部材５０を保持する台板６０を駆動するものである。
【００２６】
レール部材３１は、金属材料や、セラミックで形成される。レール部材３１は、チップ部材１３との接触による摩耗を防ぐため、金属材料の表面には表面硬化処理が施されることが好ましい。例えば、ステンレス等の鉄系材料に対しては、焼き入れ処理ないし窒化処理、アルミニウムに対してはアルマイト処理、或いは、金属表面にセラミック等による耐摩耗性のコーティング処理が施されていることが好ましい。また、アルミナセラミックやジルコニアセラミック等のセラミックで形成すれば、軽量化と共に高い剛性、耐摩耗性を得ることができる。
【００２７】
振動体１０には、レール部材３１と反対側（−Ｚ側）に加圧部材４０が設けられている。加圧部材４０は、例えばコイルバネ等の弾性部材で構成され、一端は振動体１０のベース部材１４に固定され、他端は台板６０に固定される。加圧部材４０による付勢力により、振動体１０のチップ部材１３はレール部材３１に軽く押圧されている。なお、加圧部材４０による付勢力は比較的小さな力であり、且つ、非常に高い周波数で振動する振動体１０の振動周期に対し、加圧部材４０の伸縮動作は追従できない程度に設定されている。このため、チップ部材１３は加圧部材４０の付勢力に抗し、レール部材３１に接触と離反を繰り返すことができる。
【００２８】
また支持部材５０は、レール部材３１を振動体１０のチップ部材１３とで挟むように、レール部材３１に対しチップ部材１３とは反対側（＋Ｚ側）に配置されている。支持部材５０は、支軸６１に軸支され、回転自在なローラ５１で構成されている。なお、このローラ５１は、不図示の押さえ部材により支軸６１からの脱落を防止している。
【００２９】
支持部材５０を構成するローラ５１は、レール部材３１を挟んで振動体１０のチップ部材１３に対向する位置の直上位置に配置されている。このようにすることで、振動対１０によるＺ方向の力を確実に支持でき、大きな駆動力をレール部材３１に与えることができる。
【００３０】
ローラ５１は、レール部材３１との摩擦が小さい材料で形成されていることが好ましい。具体的には、樹脂材料（例えば、ＰＯＭ（ポリアセタール））のうち、摺動性能の高い材料が好ましい。例えば、フッ素等の添加物を配合し摺動性能を向上させたものが好ましい。また、荷重による変形の小さい材料であることが好ましい。なお、ローラ５１は、金属材料で形成されていてもよい。
【００３１】
以上が、本実施の形態のレンズ鏡胴に用いられる振動アクチュエータの概略である。
【００３２】
図４は、本実施の形態に係るレンズ鏡胴１００の一例を示す断面図である。同図に示すレンズ群は屈曲光学系で構成されたズームレンズであり、同図はワイド時の状態を示しており、折り曲げ前及び折り曲げ後の２つの光軸を含む面で切断したものである。なお、本実施の形態では、屈曲光学系を構成するレンズ群の移動に上記の振動アクチュエータを適用した例で説明するが、これに限るものでなく、直線的な光軸上に配置された光学系であってもよい。
【００３３】
同図に示すように、ＯＡは折り曲げ前の光軸であり、ＯＢは折り曲げ後の光軸である。レンズ鏡胴１００の外側は、外装部材である主胴Ａ９０及び主胴Ｂ９１で構成されている。
【００３４】
７０は第１レンズ群であり、第１レンズ群７０は、光軸をＯＡとし被写体に向けて配置されたレンズ７１と光軸ＯＡを略直角方向に折り曲げる反射部材であるプリズム７２と、プリズム７２により折り曲げられた光軸ＯＢを光軸として配置されたレンズ７３により構成されている。この第１レンズ群７０は、主胴Ａ９０に固定されたレンズ群である。
【００３５】
７４は第２レンズ群であり、第２レンズ群鏡枠７４ｋに組み込まれている。第２レンズ群７４は、変倍（以下、ズーミングとも言う）時に第２レンズ群鏡枠７４ｋと共に、一体的に移動するレンズ群である。
【００３６】
７５は第３レンズ群であり、第３レンズ群鏡枠７５ｋに組み込まれている。この第３レンズ群７５は、第３レンズ群鏡枠７５ｋが主胴Ａ９０により固定され変倍時移動しないレンズ群である。
【００３７】
７６は第４レンズ群であり、第４レンズ群鏡枠７６ｋに組み込まれている。第４レンズ群７６は、変倍時及び焦点調節（以下、フォーカシングとも言う）時に第４レンズ群鏡枠７６ｋと共に、一体的に移動するレンズ群である。
【００３８】
７７は赤外光カットフィルタ及びオプチカルローパスフィルタを積層した光学フィルタであり、主胴Ａ９０に組み付けられている。７８は撮像素子であり、ＣＣＤ（Ｃｈａｒｇｅ  Ｃｏｕｐｌｅｄ  Ｄｅｖｉｃｅ）型イメージセンサ、ＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）型イメージセンサ等が用いられる。撮像素子７８は取り付け部材７９に組み付けられ、取り付け部材７９は撮像素子７８と共に主胴Ａ９０に組み付けられている。８０はフレキシブルプリント基板であり、撮像素子７８に接続され、カメラ内の他の回路へ接続される。８１はシャッタユニットであり、第３レンズ群鏡枠７５ｋと同様に、主胴Ａ９０に固定されている。
【００３９】
第２レンズ群７４及び第４レンズ群７６は、図示のワイド状態の位置から、第３レンズ群７５に近接する方向へ、各々設定された量だけ移動しズーミングが行われる。更に、第４レンズ群７６は、ズーミングにより移動した位置から更に移動することによりフォーカシングが行われる。
【００４０】
図５は、第２レンズ群７４及び第４レンズ群７６の移動機構を示す模式図である。同図は、第２レンズ群７４及び第４レンズ群７６がワイド位置にある状態を示している。以下の図においては、説明の重複を避けるため、同機能部材には同符号を付与して説明する。なお、同図は構成をわかりやすくするため、振動アクチュエータ等の位置を鏡胴外に移動させて模式的に図面化したものである。
【００４１】
同図に示すように、第２レンズ群鏡枠７４ｋに一体的に形成されたスリーブ７４ｓ、第４レンズ群鏡枠７６ｋに一体的に形成されたスリーブ７６ｓを貫通して、ガイド部材であるガイド軸８２が嵌合している。更に、第２レンズ群鏡枠７４ｋに一体的に形成された回転係止部７４ｍ、第４レンズ群鏡枠７６ｋに一体的に形成された回転係止部７６ｍに、ガイド部材であるガイド軸８３が係合して配置されている。これにより、第２レンズ群鏡枠７４ｋ、第４レンズ群鏡枠７６ｋは、２つのガイド軸８２、８３に沿って光軸ＯＢ方向に摺動可能とされている。
【００４２】
また、ガイド軸８２及び８３は、シャッタユニット８１及び第３レンズ群鏡枠７５ｋをも嵌合貫通している。ガイド軸８２及び８３には、端部での固定部材による固定に加えて、軸方向の中間部位にガイド軸支持部材８４が設けられている。
【００４３】
更に、上記の振動アクチュエータ１を構成するレール部材３１は、筐体である主胴Ａ９０に配置され、長手方向の移動ができないように固定されている。
【００４４】
第２レンズ群鏡枠７４ｋ及び第４レンズ群鏡枠７６ｋには、振動体１０とローラ５１を保持する台板６０がそれぞれ組み付けられている。図示の如く、主胴Ａ９０に配置されたレール部材３１は、振動体１０と支持部材であるローラ５１により、それぞれ挟み込まれている。
【００４５】
なお、不図示であるが、圧電素子１１、１２には、それぞれ独立して交流電圧が印加されるように、フレキシブルプリント基板等により電気的接続がなされている。
【００４６】
このような構成により、振動体１０の圧電素子１１、１２を位相差を有する交流電圧で駆動することで、振動体１０のチップ部材１３が楕円運動させられる。一方、レール部材３１は、主胴Ａ９０に長手方向の移動ができないよう固定されているため、振動体１０とローラ５１を保持する台板６０が組み付けられた第２レンズ群鏡枠７４ｋ、及び第４レンズ群鏡枠７６ｋが相対的に移動することになり、ガイド軸８２、８３にガイドされて光軸ＯＢ方向に移動することができる。
【００４７】
また、第２レンズ群鏡枠７４ｋと第４レンズ群鏡枠７６ｋの位置検出には、それぞれ、検出センサとしての磁性薄膜抵抗素子８５が一体的に組み付けられ、この磁性薄膜抵抗素子８５に対応する位置にＮ極とＳ極が移動方向に交互に形成されたセンサースケール８４が主胴Ａ９０に固定されている。不図示であるが、磁性薄膜抵抗素子８５にはフレキシブルプリント基板等により電気的接続がなされており、それぞれの磁性薄膜抵抗素子８５の移動に伴って出力される出力信号を演算処理することにより、第２レンズ群鏡枠７４ｋと第４レンズ群鏡枠７６ｋの移動量を検知することが可能となっている。
【００４８】
センサースケール８４は、同図に示すように、第２レンズ群鏡枠７４ｋと第４レンズ群鏡枠７６ｋに対し共通に用いられるようになっている。このように構成することにより、センサースケール８４の組み付け工数の削減ができコストダウンが可能となる。また、スケール上の同一箇所を異なるレンズ群の位置検出に用いることもできるため、複数のレンズ群が同方向に移動するような構成の場合には、それぞれのレンズ群に配置する検出センサをレンズ群間隔より近接して配置することで、センサースケール８４の長さを短縮できる利点がある。
【００４９】
以上の構成により、第２レンズ群鏡枠７４ｋに配置した振動体１０と第４レンズ群鏡枠７６ｋに配置した振動体１０を、それぞれ独立して駆動することにより、第２レンズ群鏡枠７４ｋと第４レンズ群鏡枠７６ｋを、それぞれの所望の位置へ移動させて、ズーミングが行われる。更に、第４レンズ群鏡枠７６ｋのみを移動させることで、フォーカシングが行われる。
【００５０】
図６は、第４レンズ群７６を通り、光軸ＯＢに直交する面で切断した、レンズ鏡胴の断面図である。
【００５１】
同図に示すように、レンズ鏡胴１００の光軸ＯＢに垂直な断面は、略矩形形状であり、この矩形の対角方向に配置されたガイド軸８２にはスリーブ部７６ｓが嵌合され、ガイド軸８３には回転係止部７６ｍが係合している。
【００５２】
残りの対角部の一方には、第４レンズ群鏡枠７６ｋに一体的に組み付けられた位置検出センサである磁性薄膜抵抗素子８５と、この磁性薄膜抵抗素子８５に対応して主胴Ａ９０に固定された、光軸ＯＢと略平行な方向（紙面表裏方向）にＮ極とＳ極が交互に形成されたセンサースケール８４が配置されている。
【００５３】
また、残りの対角部の他方には、振動アクチュエータ１が配置されている。振動アクチュエータ１の一部を構成するレール部材３１は、主胴Ａ９０に固定されている。また、支持部材であるローラ５１と振動体１０、加圧部材４０が台板６０により第４レンズ群鏡枠７６ｋに一体的に組み付けられている。
【００５４】
なお、第２レンズ群７４を保持する第２レンズ群鏡枠７４ｋも同様の構成であるため説明は省略する。
【００５５】
このように、平面的に配置された振動アクチュエータ１を用いることで、円柱状のステッピングモータを用いる場合に比べ、配置の自由度が増し、レンズ鏡胴１００の断面積を小型に押さえることができる。更に、振動アクチュエータ１を筐体である主胴Ａ９０及び主胴Ｂ９１で囲まれた空間内に配置することで、ゴミ等の侵入を防止できると共に、より低騒音化でき、動画等の撮影時に音声を記録するカメラのレンズ鏡胴に適用する場合にも好適なものとなる。
【００５６】
以上説明したように、レンズ群を移動させるアクチュエータを、複数の圧電素子を互いに所定角度で交差するよう配置した振動体１０と、この振動体１０に相対して配置されるレール部材３１と、レール部材３１を挟んで振動体１０に対向する位置に配置された回転可能な支持部材であるローラ５１とで構成し、レール部材３１を筐体である主胴側に固定配置し、振動体１０とローラ５１を移動するレンズ群側に配置することにより、振動体１０の駆動時のレール部材３１への押圧力の反力をローラ５１で受けることができ、移動方向に直交する方向に働く反力が鏡枠及びガイド軸へかかることを防ぐことが可能となる。これにより、鏡枠とガイド軸の間に発生する不要な摩擦力の変動を解消でき、駆動効率が高く、動作不安定とならない高い耐久性を有した、レンズ鏡胴を得ることが可能となる。
【００５７】
更に、本実施の形態の振動アクチュエータ１は非駆動時、加圧部材４０の付勢力により振動体１０とローラ５１でレール部材３１が挟まれた状態となり、無通電時には鏡枠の停止位置が保持され、レンズ群を無通電保持することができ、省電化も可能となる。
【００５８】
なお、第２レンズ群鏡枠７４ｋ及び第４レンズ群鏡枠７６ｋの位置の基準となる初期位置については、所定の方向にレンズ群を移動させるよう振動アクチュエータを駆動し、位置検出センサに変化が生じなくなる突き当て位置を基準としてもよいし、第２レンズ群鏡枠７４ｋ及び第４レンズ群鏡枠７６ｋに遮蔽部を形成し、この遮蔽部とフォトインタラプタにより基準となる初期位置を検出するよう構成してもよい。また同様に、フォトリフレクタと反射部材による初期位置検出でもよい。
【００５９】
また、第２レンズ群鏡枠７４ｋ及び第４レンズ群鏡枠７６ｋの移動量の検出に関しては、磁性薄膜抵抗素子と磁性体で形成されたセンサースケールに限らず、第２レンズ群鏡枠７４ｋ及び第４レンズ群鏡枠７６ｋにフォトインタラプタを組み付け、センサースケールとして、光透過部と遮蔽部が交互に形成されたものや、第２レンズ群鏡枠７４ｋ及び第４レンズ群鏡枠７６ｋにフォトリフレクタを組み付け、センサースケールとして、光反射部と無反射部が交互に形成されたものを用いてもよい。いずれの場合にも、センサースケールは第２レンズ群鏡枠７４ｋと第４レンズ群鏡枠７６ｋに対し共通に用いることが可能である。
【００６０】
図７は、ガイド部材とレール部材の配置のその他の例を示す図である。同図は、２つのガイド部材のうちの一つをレール部材と兼用する構成の例を示しており、例として第４レンズ群鏡枠７６ｋを抜き出して図示してある。同図（ａ）は第４レンズ群鏡枠７６ｋを光軸ＯＢ方向から見た図であり、同図（ｂ）は第４レンズ群鏡枠７６ｋを側面から見た図である。
【００６１】
同図（ａ）に示すように、第４レンズ群鏡枠７６ｋのスリーブ７６ｓは、ガイド軸８２に嵌合し、回転係止部７６ｍはガイド軸８３に係合している。更に、第４レンズ群鏡枠７６ｋには、振動体１０、ローラ５１、加圧部材４０を保持する台板６０が組み付けられている。
【００６２】
更に、同図（ｂ）に示すように、振動体１０と支持部材であるローラ５１が、スリーブ７６ｓの近傍で主胴に固定されたガイド軸８２を挟んで配置されている。即ち、第４レンズ群鏡枠７６ｋのガイド部材であるガイド軸８２を振動アクチュエータを構成するレール部材としても用いるように構成したものである。
【００６３】
図８は、ガイド部材とレール部材の配置の別の例を示す図である。同図は、２つのガイド部材のうちの一つをレール部材と兼用する構成の別の例を示している。同図（ａ）は第４レンズ群鏡枠７６ｋを光軸ＯＢ方向から見た図であり、同図（ｂ）は第４レンズ群鏡枠７６ｋを側面から見た図である。
【００６４】
同図（ａ）に示すように、第４レンズ群鏡枠７６ｋには、スリーブ７６ｓ（図示左側）が、ガイド軸８２に嵌合すると共に、振動体１０、ローラ５１、加圧部材４０を保持する台板６０が組み付けられている。レール部材３１は筐体である主胴Ａ９０に固定されており、同図（ｂ）にも示すように、振動体１０と支持部材であるローラ５１が、主胴Ａ９０に固定されたレール部材３１を挟んで配置されている。即ち、第４レンズ群鏡枠７６ｋの回転係止用のガイド部材を、振動アクチュエータを構成するレール部材で兼用するよう構成したものである。
【００６５】
図７、図８に示したように、移動方向に沿って配置される複数のガイド部材の一つを、振動アクチュエータを構成するレール部材として兼ねて用いることで、組み立て工数削減による低コスト化、及び部品点数の削減による小型、低コスト化が可能となる。
【００６６】
また、図６、図８に示す構成の場合は、主胴Ａ９０が、レール部材３１の振動を抑制する制振部材としても機能するようになっている。
【００６７】
なお、上記の実施の形態においては、ズーム光学系を構成する２つのレンズ群を移動させズーミング及びフォーカシングを行う例で説明したが、その他の構成の光学系にも適用可能なのは言うまでもなく、また単焦点光学系のフォーシングのみに適用することも本発明を逸脱するものでない。
【図面の簡単な説明】
【００６８】
【図１】本実施の形態に係るレンズ鏡胴に用いられる振動アクチュエータの正面図である。
【図２】本実施の形態に係るレンズ鏡胴に用いられる振動アクチュエータの側面図である。
【図３】振動体の駆動動作を示した図である。
【図４】本実施の形態に係るレンズ鏡胴の一例を示す断面図である。
【図５】第２レンズ群及び第４レンズ群の移動機構を示す模式図である。
【図６】第４レンズ群を通り、光軸に直交する面で切断した、レンズ鏡胴の断面図である。
【図７】ガイド部材とレール部材の配置のその他の例を示す図である。
【図８】ガイド部材とレール部材の配置の別の例を示す図である。
【符号の説明】
【００６９】
１  振動アクチュエータ
１０  振動体
１１、１２  圧電素子
１３  チップ部材
３１  レール部材
４０  加圧部材
５０  支持部材
５１  ローラ
６０  台板
７０  第１レンズ群
７４  第２レンズ群
７４ｋ  第２レンズ群鏡枠
７５  第３レンズ群
７５ｋ  第３レンズ群鏡枠
７６  第４レンズ群
７６ｋ  第４レンズ群鏡枠
８２、８３  ガイド軸
８４  センサースケール
８５  検出センサ
９０  主胴Ａ
９１  主胴Ｂ
１００  レンズ鏡胴
【図１】
2006330054.tif 000003
【図２】
2006330054.tif 000004
【図３】
2006330054.tif 000005
【図４】
2006330054.tif 000006
【図５】
2006330054.tif 000007
【図６】
2006330054.tif 000008
【図７】
2006330054.tif 000009
【図８】
2006330054.tif 000010